(57)【要約】【課題】電話装置のハウリングを防止すること。【解決手段】電話装置１は、ハンドセット１１に備えられた加速度センサ２１と、加速度センサ２１の検出信号に基づいてハンドセット１１の姿勢を判定する判定部３１と、判定部３１によりハンドセット１１が水平姿勢であると判定された場合に送話機能を停止する停止部３２とを備える。停止部３２は、判定部３１によりハンドセット１１が水平姿勢であると判定され、且つ送話口２２が上方向以外の方向を向いていると判定された場合に、送話機能を停止するものであってもよい。【選択図】図１
2013183362.tif 000002
【特許請求の範囲】
【請求項１】
ハンドセットに備えられた加速度センサと、
前記加速度センサの検出信号に基づいて前記ハンドセットの姿勢を判定する判定手段と、
前記判定手段により前記ハンドセットが水平姿勢であると判定された場合に送話機能を停止する停止手段と、
を備える電話装置。
【請求項２】
前記停止手段は、前記判定手段により前記ハンドセットが水平姿勢であると判定され、且つ送話口が上方向以外の方向を向いていると判定された場合に、前記送話機能を停止する、
請求項１に記載の電話装置。
【請求項３】
ハンドセットに加速度センサが備えられた電話装置の制御装置であって、
前記加速度センサの検出信号に基づいて前記ハンドセットの姿勢を判定する判定手段と、
前記ハンドセットが水平姿勢であると判定された場合に送話機能を停止する停止手段と、
を備える電話装置の制御装置。
【請求項４】
前記停止手段は、前記判定手段により前記ハンドセットが水平姿勢であると判定され、且つ送話口が上方向以外の方向を向いていると判定された場合に、前記送話機能を停止する、
請求項３に記載の電話装置の制御装置。
【請求項５】
ハンドセットに加速度センサが備えられた電話装置の制御方法であって、
前記加速度センサの検出信号に基づいて前記ハンドセットの姿勢を判定する判定ステップと、
前記ハンドセットが水平姿勢であると判定された場合に送話機能を停止する停止ステップと、
を備える電話装置の制御方法。
【請求項６】
前記停止ステップにおいて、前記判定ステップにより前記ハンドセットが水平姿勢であると判定され、且つ送話口が上方向以外の方向を向いていると判定された場合に、前記送話機能を停止する、
請求項５に記載の電話装置の制御方法。
【発明の詳細な説明】
【技術分野】
【０００１】
本発明は、電話装置のハウリングを防止するための技術に関する。
【背景技術】
【０００２】
特許文献１は、固定電話のハンドセットがクレードルに置かれる際に発生する接触音、ハウリング音等が通話先に伝達されないようにすることを目的として、物理的な接触を検出するスイッチを用いてハンドセットがクレードル等に接触したことを検出し、当該接触が検出された場合にハンドセットのスピーカとマイクとの接続を切断する構成を開示している。
【０００３】
特許文献２は、携帯電話のキー操作を省略することを目的として、内蔵される加速度センサ等により携帯電話の姿勢の変化を検出し、当該変化に応じて電子メール、カメラ等の機能を自動的に実行する構成を開示している。
【先行技術文献】
【特許文献】
【０００４】
【特許文献１】実開平４−６４８４０号公報
【特許文献２】特開２００６−７２４６６号公報
【発明の概要】
【発明が解決しようとする課題】
【０００５】
固定電話において、ハンドセットをクレードルに置く際、ハンドセットの送話口（マイク）及び受話口（スピーカ）を机上面等に近付けた際等に、ハウリングが発生することがある。受話口から発する音声がクレードル面、机上面等に反射し、送話口から集音され、増幅されるためである。
【０００６】
上記特許文献１は、ハンドセットがクレードル面、机上面等の反射面に近接・接触したことを検出するための手段として、物理的な接触を検出するスイッチを用いる構成を示している。しかし、このような物理的なスイッチを用いる場合には、スイッチと反射面との接触が必要不可欠であり、接触音の発生が避けられない等の問題が生ずる。
【０００７】
本発明は、上記問題に鑑みてなされたものであり、電話装置のハウリングを効果的に防止することを目的とする。
【課題を解決するための手段】
【０００８】
本発明の第１の態様は、ハンドセットに備えられた加速度センサと、加速度センサの検出信号に基づいてハンドセットの姿勢を判定する判定部と、判定部によりハンドセットが水平姿勢であると判定された場合に送話機能を停止する停止部とを備える電話装置である。
【０００９】
本発明の第２の態様は、ハンドセットに加速度センサが備えられた電話装置の制御装置であって、加速度センサの検出信号に基づいてハンドセットの姿勢を判定する判定部と、ハンドセットが水平姿勢であると判定された場合に送話機能を停止する停止部とを備えるものである。
【００１０】
本発明の第３の態様は、ハンドセットに加速度センサが備えられた電話装置の制御方法であって、加速度センサの検出信号に基づいてハンドセットの姿勢を判定する判定ステップと、ハンドセットが水平姿勢であると判定された場合に送話機能を停止する停止ステップとを備えるものである。
【発明の効果】
【００１１】
本発明によれば、ハンドセットと反射面との接近を、それらの接触を要することなく検出し、送話機能を停止することができる。これにより、ハウリングを効果的に防止することが可能となる。
【図面の簡単な説明】
【００１２】
【図１】本発明の実施の形態１に係る電話装置の機能的な構成を示す図である。
【図２】実施の形態１に係る電話装置のハードウェア構成を例示する図である。
【図３】実施の形態１に係るハンドセットの構成を概念的に示す図である。
【図４】ハンドセットのＸ軸回りの姿勢変化を検出する状況を例示する図である。
【図５】ハンドセットの水平姿勢を例示する図である。
【図６】実施の形態１に係る電話装置が行う処理を例示するフローチャートである。
【図７】ハンドセットのＹ軸回りの姿勢変化を検出する状況を例示する図である。
【図８】ハンドセットのマイクが上方向以外を向いている時の姿勢を例示する図である。
【図９】実施の形態２に係る電話装置が行う処理を例示するフローチャートである。
【発明を実施するための形態】
【００１３】
実施の形態１
以下、図面を参照して本発明の実施の形態について説明する。図１は、本実施の形態に係る電話装置１の機能的な構成を示している。電話装置１は、固定電話等であり、ハンドセット１１及び制御部１２を有する。ハンドセット１１は、加速度センサ２１、送話部２２、受話部等を有する。制御部１２は、電話装置１の本体部等に設けられ、判定部３１及び停止部３２を有する。
【００１４】
判定部３１は、加速度センサ２１の検出信号に基づいてハンドセット１１の姿勢を判定する。
【００１５】
停止部３２は、判定部３１によりハンドセット１１が水平姿勢であると判定された場合に、送話機能を停止する。
【００１６】
上記構成により、加速度センサ２１の検出結果によりハンドセット１１の水平姿勢が検出され、当該水平姿勢が検出された時に送話部２２の機能が停止する。これにより、クレードル面、机上面等に音が反射することによるハウリングを効果的に防止することが可能となる。
【００１７】
図２は、上記電話装置１のハードウェア構成を例示している。本例においては、３軸加速度センサ４０、制御回路４１、送話回路４２、マイク４３、送話スイッチ４４、及び伝送インターフェース回路４５が存する。
【００１８】
マイク４３により収集された音声は、送話回路４２により電気信号に変換され、所定のデバイスを介して通話先に伝送される。送話回路４２は、制御回路４１からの制御信号により制御される。
【００１９】
制御回路４１と送話回路４２とを接続する伝送路には、送話スイッチ４４が配置されている。送話スイッチ４４がＯＦＦになることにより、制御回路４４からの制御信号が遮断され、送話回路４２による送話機能が停止する。
【００２０】
送話スイッチ４４は、伝送インターフェース回路４５からの切換信号に応じてＯＮ／ＯＦＦを切り換える。伝送インターフェース回路４５は、制御回路４１からの制御信号に応じて上記切換信号を出力する。
【００２１】
制御回路４１は、３軸加速度センサ４１からの検出信号に基づいて、ハンドセット１１の姿勢を判定し、当該姿勢が上記水平姿勢に該当する場合に、伝送インターフェース回路４５に対し送話スイッチ４４をＯＦＦにする切換信号を出力させるための制御信号を出力する。水平姿勢については、後述する。
【００２２】
図３は、ハンドセット１１の構成を概念的に示している。同図において、３軸加速度センサ４０、マイク４３、及びスピーカ４４が示されている。マイク４３及びスピーカ４４は、ハンドセット１１の筺体の同一面（同図における下面）に設けられている。通話時においてマイク４３は使用者の口の近傍に配置され、スピーカ４４は使用者の耳の近傍に配置される。３軸加速度センサ４０は、Ｘ，Ｙ，Ｚ軸の３方向の加速度を測定する。
【００２３】
図４は、ハンドセット１１のＸ軸回りの姿勢変化を検出する状況を例示している。Ｙ０は、マイク４３及びスピーカ４４が互いに鉛直線上に位置する場合におけるＹ軸の位置である。Ｙ軸がＹ１の位置になる時のハンドセット１１の姿勢を、Ｙ０とＹ１とのなす角度αにより判定することができる。
【００２４】
図５は、ハンドセット１１の水平姿勢を例示している。水平姿勢は、上記αが９０°付近の値となる姿勢である。水平姿勢であるための条件をα１≦α≦α２とするとき、α１＝８０°〜８５°、α２＝９５°〜１００°であることが好ましい。
【００２５】
図６は、本実施の形態に係る電話装置１が行う処理を例示している。通話時において、ハンドセット１１が水平姿勢であるか否かが判定される（Ｓ１０１）。当該判定は、例えば上述のように、制御回路４１が３軸加速度センサ４０の検出信号に基づいて角度αを監視することにより行われる。
【００２６】
ステップＳ１０１において、水平姿勢であると判定された場合（ＹＥＳ）には、送話機能が停止される（Ｓ１０２）。当該処理は、例えば上述のように、制御回路４１及び伝送インターフェース回路４５の制御により送話スイッチ４４をＯＦＦに切り換えることにより行われる。一方、ステップＳ１０１において、水平姿勢でないと判定された場合（ＮＯ）には、送話機能が維持される（Ｓ１０３）。
【００２７】
当該実施の形態によれば、加速度センサ２１の検出結果に基づいてハンドセット１１の水平姿勢が検出され、送話機能が停止される。これにより、ハンドセット１１とクレードル面等の反射面との接近を、これらの接触を要することなく検出することができるため、ハウリングを効果的に防止することが可能となる。
【００２８】
実施の形態２
以下、本発明の実施の形態２について説明する。上記実施の形態１と同一又は同様の箇所については同一の符号を付してその説明を省略する。
【００２９】
本実施の形態は、送話機能を停止する条件として、ハンドセット１１が水平姿勢であることだけでなく、マイク４３（送話口）が上方向以外の方向を向いていることが加えられたものである。
【００３０】
図７は、ハンドセット１１のＹ軸回りの姿勢変化を検出する状況を例示している。Ｚ０は、マイク４３及びスピーカ４４が鉛直線上下方を向いている場合におけるＺ軸の位置である。Ｚ軸がＺ１の位置になる時のハンドセット１１の姿勢（マイク４３の向き）は、Ｚ０とＺ１とのなす角度βにより判定することができる。
【００３１】
図８は、ハンドセット１１のマイク４３が上方向以外を向いている時の姿勢を例示している。当該姿勢であるための条件をβ１≦β≦β２とするとき、β１＝９０°、β２＝２７０°であることが好ましい。この条件によれば、マイク４３が下方向、横方向、及び斜め下方向を向いている時に、上記「上方向以外の方向を向いている時」に該当することとなる。
【００３２】
図９は、本実施の形態に係る電話装置１が行う処理を例示している。通話時において、先ずハンドセット１１が水平姿勢であるか否かが判定され（Ｓ１０１）、水平姿勢でないと判定された場合（ＮＯ）には、送話機能が維持される（Ｓ１０３）。
【００３３】
一方、ステップＳ１０１において、水平姿勢であると判定された場合（ＹＥＳ）には、次いで送話口が上を向いているか否かが判定される（Ｓ１１１）。ステップＳ１１１において、上を向いていると判定された場合（ＹＥＳ）には、送話機能が維持され（Ｓ１０３）、上を向いていないと判定された場合（ＮＯ）には、送話機能が停止される（Ｓ１０２）。
【００３４】
当該実施の形態によれば、ハンドセット１１が水平姿勢であり且つマイク４３が上方向以外の方向を向いている場合に送話機能が停止し、ハンドセット１１が水平姿勢であってもマイク４３が上方向を向いている場合には送話機能が維持される。マイク４３が上方向を向いている場合には、クレードル面、机上面等にスピーカ４４からの音声が反射することはなく、ハウリングは発生しないからである。また、机上面等にハンドセット１１を載置して通話するような使用形態（いわゆるハンドフリー通話機能の実行時等）においては、ハンドセット１１が水平姿勢であり且つマイク４３が上方向を向くことになるため、このような場合には送話機能が維持されるべきだからである。このように、当該実施の形態によれば、ハウリングを効果的に防止することができると共に、いわゆるハンドフリー通話機能等にも対応することが可能となる。
【００３５】
尚、本発明は上記実施の形態に限られるものではなく、趣旨を逸脱しない範囲で適宜変更することが可能なものである。例えば、上記角度α１，α２，β１，β２は上記数値に限定されるものではないことは無論である。また、送話機能を停止する停止部３２（図１参照）の構成例として、送話スイッチ４４及び伝送インターフェース回路４５等（図２参照）を用いる例を示したが、本発明はこれに限定されるものではない。例えば、送話スイッチ４４のような物理的機構を用いずに、プログラム処理的に送話機能を停止することも可能である。当該停止部３２は、送話機能を停止することができるあらゆる手段を含むものと解すべきである。また、判定部３１（図１参照）についても同様に、ハンドセット１１の姿勢を判定することができるものであれば、上記実施の形態に開示したものに限らず、あらゆる手段を含むものと解すべきである。
【符号の説明】
【００３６】
１  電話装置
１１  ハンドセット
１２  制御部
２１  加速度センサ
２２  送話部
３１  判定部
３２  停止部
４０  ３軸加速度センサ
４１  制御回路
４２  送話回路
４３  マイク
４４  送話スイッチ
４５  伝送インターフェース
【図１】
2013183362.tif 000003
【図２】
2013183362.tif 000004
【図３】
2013183362.tif 000005
【図４】
2013183362.tif 000006
【図５】
2013183362.tif 000007
【図６】
2013183362.tif 000008
【図７】
2013183362.tif 000009
【図８】
2013183362.tif 000010
【図９】
2013183362.tif 000011